(57)【要約】【課題】情報処理端末等の外部機器で入力された情報に基づき放送番組等のコンテンツを検索することができる電子機器を提供することである。【解決手段】電子機器は、通信手段と、検索手段と、管理手段と、制御手段とを備える。前記通信手段は、情報処理端末で入力された入力情報を受信する。前記検索手段は、受信された入力情報に基づきコンテンツを検索する。前記管理手段は、受信された入力情報に対応付けられた識別情報により、検索されたコンテンツを管理する。前記制御手段は、識別情報の受信に対応して、受信された識別情報により管理されたコンテンツの出力を制御する。【選択図】図５
2014212432.tif 000002
【特許請求の範囲】
【請求項１】
情報処理端末で入力された入力情報を受信する通信手段と、
受信された入力情報に基づきコンテンツを検索する検索手段と、
受信された入力情報に対応付けられた識別情報により、検索されたコンテンツを管理する管理手段と、
識別情報の受信に対応して、受信された識別情報により管理されたコンテンツの出力を制御する制御手段と、
を備える電子機器。
【請求項２】
前記管理手段は、受信された入力情報に対応付けられた端末識別情報又は個人識別情報により、検索されたコンテンツを管理する請求項１の電子機器。
【請求項３】
前記制御手段は、端末識別情報又は個人識別情報の受信に対応して、受信された端末識別情報又は個人識別情報により管理されたコンテンツのリストの出力を制御する請求項２の電子機器。
【請求項４】
前記制御手段は、端末識別情報又は個人識別情報の受信に対応して、受信された端末識別情報又は個人識別情報により管理されたコンテンツの再生を制御する請求項２又は３の電子機器。
【請求項５】
前記管理手段は、受信された入力情報に含まれる日時情報に基づき、検索されたコンテンツに優先度を付与する請求項１乃至４の何れか１つの電子機器。
【請求項６】
前記検索手段は、入力情報に含まれる検索情報に基づきコンテンツを検索する請求項１乃至５の何れか１つの電子機器。
【請求項７】
前記検索手段は、入力情報に含まれるスケジュール情報に基づきコンテンツを検索する請求項１乃至６の何れか１つの電子機器。
【請求項８】
前記検索手段は、受信された入力情報に基づきコンテンツガイドからコンテンツを検索する請求項１乃至７の何れか１つの電子機器。
【請求項９】
前記検索手段は、受信された入力情報に基づき記録コンテンツリストからコンテンツを検索する請求項１乃至８の何れか１つの電子機器。
【請求項１０】
前記検索手段は、受信された入力情報に基づきネットワーク上のコンテンツリストからコンテンツを検索する請求項１乃至９の何れか１つの電子機器。
【請求項１１】
入力された入力情報を送信する情報処理端末と、
情報処理端末からの入力情報を受信し、受信された入力情報に基づきコンテンツを検索し、受信された入力情報に対応付けられた識別情報により、検索されたコンテンツを管理し、識別情報の受信に対応して、受信された識別情報により管理されたコンテンツの出力を制御する電子機器とを備える検索システム。
【請求項１２】
情報処理端末は、入力された入力情報を電子機器へ送信し、
電子機器は、情報処理端末からの入力情報を受信し、受信された入力情報に基づきコンテンツを検索し、受信された入力情報に対応付けられた識別情報により、検索されたコンテンツを管理し、情報処理端末からの識別情報の受信に対応して、受信された識別情報により管理されたコンテンツの出力を制御する検索方法。
【発明の詳細な説明】
【技術分野】
【０００１】
本発明の実施形態は、電子機器、検索システム、及び検索方法に関する。
【背景技術】
【０００２】
番組を検索する機能を備えたデジタルＴＶが普及している。例えば、ユーザは、デジタルＴＶのリモートコントローラ等を利用し、デジタルＴＶに対して検索キーワードを入力する。デジタルＴＶは、放送信号等により受信される番組ガイド等から、入力された検索キーワードに相当する番組を検索する。或いは、デジタルＴＶは、記録番組リストから入力された検索キーワードに相当する番組を検索する。
【０００３】
さらに、ユーザの嗜好に応じた番組を検索するデジタルＴＶ等が提案されている。例えば、デジタルＴＶに入力された購入情報（購入履歴）やデジタルＴＶで管理されるプレイリストから抽出されたキーワードにより番組ガイド等から番組を検索するデジタルＴＶ等が提案されている。
【先行技術文献】
【特許文献】
【０００４】
【特許文献１】特開２００８−１１２５０号公報
【発明の概要】
【発明が解決しようとする課題】
【０００５】
上記デジタルＴＶの番組検索技術は、ユーザがデジタルＴＶに向き合っている間に得られた情報を利用する技術である。従って、ユーザからの情報が入力される時間は限定的である。しかしながら、ユーザは、デジタルＴＶに向き合っていない間であっても、様々なシーンで様々な情報を利用（入力）している。これらの情報を番組検索に利用する技術が求められている。
【０００６】
本発明の目的は、情報処理端末等の外部機器で入力された情報に基づき放送番組等のコンテンツを検索することができる電子機器、検索システム、及び検索方法を提供することである。
【課題を解決するための手段】
【０００７】
実施形態に係る電子機器は、通信手段と、検索手段と、管理手段と、制御手段とを備える。前記通信手段は、情報処理端末で入力された入力情報を受信する。前記検索手段は、受信された入力情報に基づきコンテンツを検索する。前記管理手段は、受信された入力情報に対応付けられた識別情報により、検索されたコンテンツを管理する。前記制御手段は、識別情報の受信に対応して、受信された識別情報により管理されたコンテンツの出力を制御する。
【図面の簡単な説明】
【０００８】
【図１】実施形態に係る検索システムの概略構成の一例を示す図である。
【図２】実施形態に係る検索システムを構成する個人情報端末の概略構成の一例を示す図である。
【図３】実施形態に係る検索システムを構成するコンテンツ再生装置（電子機器）の概略構成の一例を示す図である。
【図４】実施形態に係る検索システムを構成する個人情報端末とコンテンツ再生装置の機能連携の一例を示す図である。
【図５】実施形態に係る検索システムによるコンテンツ検索処理の一例を示すフローチャートである。
【図６】実施形態に係るコンテンツ再生装置により表示される自動コンテンツ検索設定画面の一例を示す図である。
【図７】実施形態に係るコンテンツ再生装置により表示される専用チャンネルリストの一例を示す図である。
【発明を実施するための形態】
【０００９】
以下、実施形態について図面を参照して説明する。
【００１０】
図１は、実施形態に係る検索システムの概略構成の一例を示す図である。図１に示すように、例えば、検索システムは、タブレットＰＣ又はスマートフォン等の個人情報端末１００及びデジタルＴＶ等のコンテンツ再生装置２００により構成される。コンテンツ再生装置２００は、各種メディアに格納されたコンテンツを再生するメディアプレーヤであってもよい。或いは、コンテンツ再生装置２００は、各種コンテンツを記録したり、再生したりすることができるデジタルレコーダであってもよい。
【００１１】
個人情報端末１００とコンテンツ再生装置２００は、直接又は間接的に通信可能に構成される。例えば、無線通信により、個人情報端末１００とコンテンツ再生装置２００が直接通信することもできるし、１又は複数台の中継器等を介して、個人情報端末１００とコンテンツ再生装置２００が間接的に通信することもできる。例えば、個人情報端末１００が、公衆無線ＬＡＮを介してネットワークサーバ（クラウドサーバ）へ情報を送信し、ネットワークサーバが、ネットワークを介してコンテンツ再生装置２００へ情報を送信することもできるし、逆の経路を辿って、コンテンツ再生装置２００が、個人情報端末１００へ情報を送信することもできる。
【００１２】
図２は、実施形態に係る検索システムを構成する個人情報端末の概略構成の一例を示す図である。図３は、実施形態に係る検索システムを構成するコンテンツ再生装置（電子機器）の概略構成の一例を示す図である。図４は、実施形態に係る検索システムを構成する個人情報端末とコンテンツ再生装置の機能連携の一例を示す図である。
【００１３】
図２に示すように、個人情報端末１００は、制御部１０１、記憶部１０２、通信部１０３、表示部１０４、入力部１０５、ＴＶ再生コンテンツ選定用情報抽出部１１０、再生コンテンツ選定用情報ＤＢ１２０、スケジュール情報抽部１１１、検索ＫＷ（キーワード）情報抽出部１１２、スケジュール管理アプリケーションＡＰ１、ブラウザアプリケーションＡＰ２、ＳＮＳアプリケーションＡＰ３を備える。
【００１４】
制御部１０１は、ＣＰＵ等を備え、後述する情報抽出、情報登録、情報更新、情報転送（同期）等の各処理を制御する。記憶部１０２は、基本動作プログラム及び各種アプリケーションを記憶する。通信部１０３は、直接的又は間接的にコンテンツ再生装置２００と通信する。表示部１０４は、各種設定画面を表示したり、ブラウザ画面を表示したりする。入力部１０５は、ハードキー及びタッチパネル等により構成され、ユーザからの情報を入力する。
【００１５】
制御部１０１、記憶部１０２、通信部１０３、表示部１０４、及び入力部１０５等が協働して、スケジュール管理アプリケーションＡＰ１を実行し、スケジュール情報の入力を受け付け、入力されたスケジュール情報を管理し、また、ブラウザアプリケーションＡＰ２を実行し、ブラウザによるウェブサイトの検索やウェブサイトの閲覧を制御し、また、ＳＮＳアプリケーションＡＰ３を実行し、ＳＮＳの利用（情報の入力及び情報の表示等）を制御し、また、メールアプリケーションを実行し、送信メールの作成、メールの送信、メールの受信等を制御し、また、各種アプリケーションのダウンロードを制御する。
【００１６】
ＴＶ再生コンテンツ選定用情報抽出部１１０は、上記したスケジュール情報、ウェブサイトの検索、ウェブサイトの閲覧、ＳＮＳの利用、送受信メール、及びアプリケーションのダウンロードなどの状況を解析する。例えば、ＴＶ再生コンテンツ選定用情報抽出部１１０は、スケジュール、ウェブサイトの検索、ウェブサイトの閲覧、ＳＮＳの利用、送受信メール、及びアプリケーションのダウンロードなどで入力された情報（スケジュール情報、検索情報など）や表示された情報をコンテンツ選定情報（コンテンツ検索情報）として抽出し管理する。また、ＴＶ再生コンテンツ選定用情報抽出部１１０は、コンテンツ選定情報を抽出する抽出スケジュール、及び抽出した選定情報をコンテンツ再生装置２００へ転送（同期）する転送スケジュールも管理し、転送スケジュールに基づくコンテンツ選定情報の転送を制御する。
【００１７】
ＴＶ再生コンテンツ選定用情報抽出部１１０についてさらに詳しく説明する。スケジュール情報抽部１１１は、抽出スケジュールに従い、スケジュール情報からコンテンツのコンテンツ選定情報を抽出し、抽出したコンテンツ選定情報を再生コンテンツ選定用情報ＤＢ１２０へ登録又は登録されたコンテンツ選定情報を抽出したコンテンツ選定情報へ更新し、さらに、転送スケジュールに従い再生コンテンツ選定用情報ＤＢ１２０のコンテンツ選定情報をコンテンツ再生装置２００へ転送する。さらに詳しく説明すると、スケジュール情報抽出部１１１は、スケジュール管理アプリケーションＡＰ１のＤＢからイベントに関する情報を抽出し、抽出情報変換テーブルに従ってコンテンツ再生装置２００での再生コンテンツ選定用指標に変換する。選定用指標に変換された情報（即ちコンテンツ選定情報）は再生コンテンツ選定用情報ＤＢ部１２０に登録される。また、ユーザの要求に応じて選定情報補正テーブルが登録管理され、本テーブルに基づいて選定用指標への変換をカスタマイズすることもできる。
【００１８】
また、検索ＫＷ情報抽出部１１２は、抽出スケジュールに従い、ウェブサイトの検索、ウェブサイトの閲覧、メールの送受信、及びアプリケーションのダウンロードなどで入力された情報や表示された情報から（つまりブラウザやＳＮＳの利用状況から）コンテンツのコンテンツ選定情報を抽出し、抽出したコンテンツ選定情報を再生コンテンツ選定用情報ＤＢ１２０へ登録又は登録されたコンテンツ選定情報を抽出したコンテンツ選定情報へ更新し、さらに、転送スケジュールに従い再生コンテンツ選定用情報ＤＢ１２０のコンテンツ選定情報をコンテンツ再生装置２００へ転送する。さらに詳しく説明すると、検索ＫＷ情報抽出部１１２は、ブラウザアプリケーションＡＰ２での検索やＳＮＳアプリケーションＡＰ３でのコミュニケーションや検索等の履歴情報等をアプリケーションやアプリケーションを介したサービスのＤＢから情報を抽出し、抽出情報テーブルに従ってコンテンツ再生装置２００の再生コンテンツ選定用指標に変換する。選定用指標に変換された情報（即ちコンテンツ選定情報）は再生コンテンツ選定用情報ＤＢ部１２０に登録される。また、ユーザの要求に応じて選定情報補正テーブルが登録管理され、本テーブルに基づいて選定用指標への変換をカスタマイズすることもできる。
【００１９】
なお、ＴＶ再生コンテンツ選定用情報抽出部１１０は、抽出された選定情報とすでに抽出済みの他の情報（選定情報）との関連付けによる（再）評価を実施し、抽出された選定情報又は抽出済みの他の情報を（再）加工することもできる。
【００２０】
再生コンテンツ選定用情報ＤＢ部１２０は、上述のように、ＴＶ再生コンテンツ選定用情報抽出部１１０で抽出されたコンテンツ選定情報が登録／更新管理されるデータベースである。また、コンテンツ選定情報は、専用ｃｈ（チャンネル）情報管理２３０でも管理される。つまり、コンテンツ選定情報は、再生コンテンツ選定用情報ＤＢ部１２０及び専用ｃｈ情報管理２３０で共有されて、コンテンツ選定に利用される。再生コンテンツ選定用情報ＤＢ部１２０に登録されるコンテンツ選定情報に対して、ＩＤ、カテゴリ、イベントＫＷ、イベント日時／時期や関連の場所情報、また優先度等が設定され、これら情報が設定されたコンテンツ選定情報が管理される。例えば、優先度は、イベント日時の直近度やコンテンツ選定情報の出現頻度等に基づき設定される。
【００２１】
図３に示すように、コンテンツ再生装置２００は、チューナ３、信号処理部４、映像処理部５、音声処理部６、表示装置７、スピーカ９、バス１０、制御部１１、ＲＡＭ１３、ＲＯＭ１４、フラッシュメモリ１５、内部記録装置１７、外部インターフェース１８、操作受信部２０、送受信部（ネットワークインターフェース）２２、ドライブ部２８、専用ｃｈ情報管理部２３０、再生コンテンツ選定部２３１、再生コンテンツ検索部２３２、再生コンテンツ情報ＤＢ２４０、専用ｃｈ再生制御部２５０を備える。
【００２２】
制御部１１は、ＣＰＵ１２等を備え、映像の受信から出力（表示）までの各処理を制御する。ＲＡＭ１３は、制御部１１のワーキングメモリとして機能する。ＲＯＭ１４は、制御部１１の動作を制御するプログラム等を記憶する。フラッシュメモリ１５は、サーバ２７、ネットワーク２６、送受信部２２を介して受信された各種データ（更新プログラム等）を記憶する。
【００２３】
チューナ３は、アンテナ２を介して放送局２５からの放送信号（電子番組ガイド（ＥＰＧ）を含む）を受信し、操作機器２１で指定されたチャンネルの信号を選択（指定）して出力する。信号処理部４は、チューナ３で選択（指定）された信号に含まれた映像信号と音声信号とを分離し、映像信号を映像処理部５へ出力し、音声信号を音声処理部６へ出力する。映像処理部５は映像信号をデコードし、表示装置７はデコードされた映像信号に基づく映像を表示する。音声処理部６は音声信号をデコードし、スピーカ９はデコードされた音声信号に基づく音声を出力する。
【００２４】
内部記録装置１７は、番組記録指示又は番組記録予約に基づき、映像及び音声信号を記録する。同様に、外部記録装置１９も、番組記録指示又は番組記録予約に基づき、外部インターフェース１８を介して出力される映像及び音声信号を記録する。
【００２５】
送受信部２２は、直接又は間接的に個人情報端末１００と通信し、また、ネットワーク２６を介してコンテンツサーバと通信し、ｗｅｂコンテンツリストを受信したり、コンテンツのストリーミングデータを受信したり、コンテンツをダウンロードしたりする。
【００２６】
専用ｃｈ情報管理部２３０は、上述のように再生コンテンツ選定用情報ＤＢ部１２０の情報（コンテンツ選定情報）を共有する。例えば、個人情報端末１００の記憶部１０２は、端末識別情報を記憶し、さらに個人識別情報を記憶しても良い。再生コンテンツ選定用情報ＤＢ部１２０の情報（コンテンツ選定情報）は、端末識別情報又は個人識別情報に対応付けられて管理される。同様に、専用ｃｈ情報管理部２３０の情報のうち、個人情報端末１００から送信された情報（コンテンツ選定情報）は、端末識別情報又は個人識別情報に対応付けられて管理される。専用ｃｈ情報管理部２３０は、複数の個人情報端末１００から送信された情報を端末識別情報又は個人識別情報により区別して管理する。
【００２７】
例えば、専用ｃｈ情報管理部２３０が管理する情報のうち、ユーザａが所有する個人情報端末１００ａから送信された情報（コンテンツ選定情報）は、個人情報端末１００ａが記憶する端末識別情報ａ又は個人識別情報ａに対応付けられて管理され、端末識別情報ａ又は個人識別情報ａに対応付けられた情報は、ユーザａの専用ｃｈ情報として扱われる。同様に、専用ｃｈ情報管理部２３０が管理する情報のうち、ユーザｂが所有する個人情報端末１００ｂから送信された情報（コンテンツ選定情報）は、個人情報端末１００ｂが記憶する端末識別情報ｂ又は個人識別情報ｂに対応付けられて管理され、端末識別情報ｂ又は個人識別情報ｂに対応付けられた情報はユーザｂの専用ｃｈ情報として扱われる。
【００２８】
再生コンテンツ選定部２３１は、選定スケジュール情報を管理し、選定スケジュール情報に従い、再生可能（アクセス可能）な様々なコンテンツ（様々なコンテンツリスト）の中から、再生等の対象となる対象コンテンツを選定する。つまり、再生コンテンツ選定部２３１は、端末識別情報又は個人識別情報に対応付けられたコンテンツ選定情報に基づき、再生可能な様々なコンテンツの中から、再生等の対象となる対象コンテンツを選定し、選定した対象コンテンツに関するコンテンツ情報（タイトル、再生時間、対象コンテンツの記録先等のコンテンツを特定できる情報）を端末識別情報又は個人識別情報に対応付けて、再生コンテンツ情報ＤＢ部２４０へ登録し、また、既に登録された対象コンテンツ情報を更新する。
【００２９】
例えば、コンテンツ再生装置２００は、電子番組ガイド（コンテンツガイド）で示されるコンテンツを再生することができるので、再生コンテンツ検索部２３２が、端末識別情報又は個人識別情報に対応付けられたコンテンツ選定情報に基づき電子番組ガイドから、対象コンテンツを検索する。このとき、再生コンテンツ検索部２３２は、マッチングテーブルを用いてコンテンツ選定情報と電子番組ガイド上のコンテンツ情報とのマッチングを図り、マッチングスレッショルドを超えるコンテンツを検出する。また、コンテンツ再生装置２００は、内部記録装置１７及び外部記録装置１８等に記録されたコンテンツを再生することができるので、再生コンテンツ検索部２３２が、端末識別情報又は個人識別情報に対応付けられたコンテンツ選定情報に基づき、記録されたコンテンツ（記録コンテンツリスト）から、対象コンテンツを検索する。このとき、再生コンテンツ検索部２３２は、マッチングテーブルを用いてコンテンツ選定情報と記録コンテンツリスト上のコンテンツ情報とのマッチングを図り、マッチングスレッショルドを超えるコンテンツを検出する。また、コンテンツ再生装置２００は、送受信部２２を介してｗｅｂコンテンツ等を再生することができるので、再生コンテンツ検索部２３２が、端末識別情報又は個人識別情報に対応付けられたコンテンツ選定情報に基づき、ｗｅｂコンテンツ等（ｗｅｂコンテンツ等のリスト）から、対象コンテンツを検索する。このとき、再生コンテンツ検索部２３２は、マッチングテーブルを用いてコンテンツ選定情報とｗｅｂコンテンツ等のリスト上のコンテンツ情報とのマッチングを図り、マッチングスレッショルドを超えるコンテンツを検出する。
【００３０】
また、再生コンテンツ選定部２３１は、コンテンツ選定情報に含まれる日時情報（イベント時期情報等）に基づき、検索された対象コンテンツの順位付け（優先度）を付与（又は変更）して登録する。つまり、イベントの日時情報を持つものについてはイベントの発生日時に直近している情報（コンテンツ選定情報）に基づき検索された対象コンテンツの優先度は高く、またイベントの日時情報を持たないものについては個人情報端末１００で比較的最近に入力又は表示された情報（コンテンツ選定情報）に基づき検索された対象コンテンツの優先度は高い。また、イベントの日時情報を持つものについてはイベントの発生日時が過ぎているものや、より先の発生予定となっているものの情報（コンテンツ情報）に基づき選定された対象コンテンツの優先度は低く、イベントの日時情報を持たないものについては個人情報端末１００で比較的古く入力又は表示された情報（コンテンツ選定情報）に基づき選定された対象コンテンツの優先度は低い。このように、順位付けを付与（又は変更）して登録することにより（検索されたコンテンツを選定することにより）、対象コンテンツの陳腐化を図ることができ、ユーザの状況によりマッチしたコンテンツが優先的（上位）に選定される。
【００３１】
再生コンテンツ情報ＤＢ部２４０は、再生コンテンツ選定部２３１で選定された対象コンテンツに関するコンテンツ情報を管理する。上述したように、再生コンテンツ情報ＤＢ部２４０は、端末識別情報又は個人識別情報に対応付けてコンテンツ情報を管理する。例えば、ユーザａが所有する個人情報端末１００ａから送信された情報（端末識別情報ａ又は個人識別情報ａが対応付けられたコンテンツ選定情報）により選定された対象コンテンツに関するコンテンツ情報には、端末識別情報ａ又は個人識別情報ａが対応付けられる。ユーザｂが所有する個人情報端末１００ｂから送信された情報（端末識別情報ｂ又は個人識別情報ｂが対応付けられたコンテンツ選定情報）により選定された対象コンテンツに関するコンテンツ情報には、端末識別情報ｂ又は個人識別情報ｂが対応付けられる。これにより、端末識別情報ａ又は個人識別情報ａが対応付けられたコンテンツ情報を専用ｃｈ_ａとして管理し、端末識別情報ｂ又は個人識別情報ｂが対応付けられたコンテンツ情報を専用ｃｈ_ｂとして管理することができる。また、コンテンツ情報は、上述した対象コンテンツの順位付け（優先度）に基づき管理される。さらに、コンテンツ情報には、コンテンツの再生状態を示す情報（再生状態フラグ）が対応付けられる。コンテンツの再生に応じて、コンテンツの再生状態を示す情報が更新される。また、再生状況により対象コンテンツの優先度の変更を行ってもよい。つまり、再生済みの対象コンテンツに対して優先度を下げるよう優先度情報の更新を行ってもよい。
【００３２】
専用ｃｈ再生制御部２５０は、ユーザからの操作に基づき各操作者用の専用ｃｈに登録されたコンテンツの再生を制御する。ユーザは、リモートコントローラ２１又は個人情報端末１００を介して、専用ｃｈに登録されたコンテンツの再生を要求する。例えば、リモートコントローラ２１の専用ｃｈボタンを介して、専用ｃｈに登録されたコンテンツの再生を要求することができる。つまり、専用ｃｈ再生制御部２５０は、専用ｃｈボタンの押下に応じて送信される制御信号により、専用ｃｈの特定と再生開始要求を受け付ける。また、個人情報端末１００の専用ｃｈ再生アプリケーション上の操作画面上のボタンの選択に対応して送信される制御信号により、専用ｃｈの特定と再生開始要求を受け付ける。
【００３３】
専用ｃｈ再生制御部２５０は、専用ｃｈの再生要求に基づき、再生コンテンツ情報ＤＢ部２４０を参照し、専用ｃｈに登録されたコンテンツを再生する。また、リモートコントローラ２１のコンテンツ選択ボタンの押下に対応して、専用ｃｈに登録された複数のコンテンツから１コンテンツを選択することができる。同様に、個人情報端末１００の専用ｃｈ再生アプリケーション上の操作画面上のコンテンツ選択ボタンの選択に対応して、専用ｃｈに登録された複数のコンテンツから１コンテンツを選択することができる。コンテンツの再生等に応じて、再生コンテンツ情報ＤＢ部２４０の情報が更新される。
【００３４】
ここで、図５に示すフローチャートを参照し、コンテンツの検索処理の一例について説明する。
【００３５】
例えば、ユーザａにより所有される個人情報端末１００ａのスケジュール管理アプリケーションＡＰ１により、スケジュール情報（入力情報）が登録（入力）されたと仮定する（ＳＴ１０１）。例えば、スケジュール情報抽部１１１が、このスケジュール情報から、「カテゴリ：レジャー、日時：２０１３／４／２０、６：００、場所：千葉、内容：釣り」をコンテンツ選定情報として抽出したと仮定する（ＳＴ１０２）。再生コンテンツ選定用情報ＤＢ部１２０は、端末識別情報ａ又は個人識別情報ａが対応付けられたコンテンツ選定情報を登録する（ＳＴ１０３）。さらに、個人情報端末１００ａのブラウザアプリケーションＡＰ２により、情報が入力され（ＳＴ１０１）、情報が検索されたと仮定する。例えば、検索ＫＷ情報抽出部１１２が、入力された情報及び検索された情報から、「釣り、千葉」をコンテンツ選定情報として抽出したと仮定する（ＳＴ１０２）。再生コンテンツ選定用情報ＤＢ部１２０は、端末識別情報ａ又は個人識別情報ａが対応付けられたコンテンツ選定情報を登録する（ＳＴ１０３）。なお、抽出されたコンテンツ選定情報の出現頻度に応じて、コンテンツ選定情報の優先度が高くなる。
【００３６】
また、スケジュール情報抽部１１１は、転送スケジュールに従い、端末識別情報ａ又は個人識別情報ａが対応付けられたコンテンツ選定情報をコンテンツ再生装置２００へ転送する（ＳＴ１０４）。同様に、検索ＫＷ情報抽出部１１２も、転送スケジュールに従い、端末識別情報ａ又は個人識別情報ａが対応付けられたコンテンツ選定情報をコンテンツ再生装置２００へ転送する（ＳＴ１０４）。
【００３７】
コンテンツ再生装置２００の送受信部２２は、個人情報端末１００ａからのコンテンツ選定情報を受信し（ＳＴ２０１）、専用ｃｈ情報管理部２３０は、端末識別情報ａ又は個人識別情報ａが対応付けられたコンテンツ選定情報を管理（登録）する（ＳＴ２０２）。再生コンテンツ検索部２３２は、マッチングテーブルを用いて、端末識別情報ａ又は個人識別情報ａに対応付けられたコンテンツ選定情報に基づき、様々なコンテンツから、対象コンテンツを選定する。例えば、コンテンツ選定情報が「カテゴリ：レジャー、日時：２０１３／４／２０、６：００、場所：千葉、内容：釣り」等の情報を含むため、マッチングテーブルを用いて、これらの情報に関係する「春、湖、関東、魚、鯛」等の情報を再抽出し、再生コンテンツ検索部２３２が、コンテンツ選定情報及び再抽出された情報により、マッチングスレッショルドに従い、対象コンテンツを検索する（ＳＴ２０３）。再生コンテンツ情報ＤＢ部２４０は、検索された対象コンテンツに関するコンテンツ情報を登録する（ＳＴ２０４）。この場合、再生コンテンツ情報ＤＢ部２４０は、ユーザａの専用ｃｈとして、検索された対象コンテンツに関するコンテンツ情報を登録する。
【００３８】
個人情報端末１００ａとコンテンツ再生装置２００が通信を開始し（ＳＴ１０５）（ＳＴ２０５）、コンテンツ再生装置２００が個人情報端末１００ａからの端末識別情報ａ又は個人識別情報ａを受信すると（ＳＴ２０５）、専用ｃｈ再生制御部２５０は、ユーザａの専用ｃｈを選択する。つまり、専用ｃｈ再生制御部２５０は、受信した端末識別情報ａ又は個人識別情報ａで管理されているコンテンツを選択し（ＳＴ２０６）、例えば選択したコンテンツリスト（専用ｃｈのリスト）を表示する（ＳＴ２０７）。以後、個人情報端末１００ａの専用ｃｈ再生アプリケーション上の操作画面を介して、ユーザａの専用ｃｈに登録されたコンテンツ情報を選択することができる（ＳＴ１０６）。専用ｃｈ再生制御部２５０は、選択されたコンテンツ情報に対応するコンテンツの再生を制御し、コンテンツはスピーカ９及び表示装置７を介して出力される（ＳＴ２０８）。
【００３９】
例えば、専用ｃｈ再生制御部２５０は、コンテンツの再生映像に重畳して、このコンテンツの検索に使用されたキーワード等（コンテンツ選定情報）を表示することもできる。例えば、コンテンツの再生映像に、２０１３／４／２０、６：００、千葉、釣り等のキーワード等を表示することもできる。これにより、ユーザは、どのような情報から、このコンテンツが検索されたのか知ることができ、例えば、自分のスケジュール情報とリンクさせながら、コンテンツを楽しむことができる。
【００４０】
なお、個人情報端末１００ａから専用チャンネルの再生要求がなくても、コンテンツ再生装置２００が個人情報端末１００ａを認識したことに対応して、ユーザａの専用ｃｈに登録されたコンテンツリストを表示するようにしてもよいし、個人情報端末１００ａを認識したことに対応して、ユーザａの専用ｃｈに登録された最も優先度の高いコンテンツの再生を開始するようにしてもよい。或いは、コンテンツ再生装置２００が、カメラ等を備え、カメラにより撮影された撮影画像を解析し、ユーザを認証し、認証されたユーザに対応する専用ｃｈを選択するようにしてもよい。
【００４１】
図６は、コンテンツ再生装置２００により表示される自動コンテンツ検索設定画面の一例を示す図である。例えば、個人情報端末１００とコンテンツ再生装置２００との通信により、図６に示す画面を呼び出し、有効を選択すれば、自動コンテンツ検索を有効化することができ、無効を選択すれば、自動コンテンツ検索を無効化することができる。また、図６に示す画面から、個人情報端末１００に関する情報を登録する。例えば、個人情報端末１００に固有の端末識別情報等を登録する。
【００４２】
図７は、コンテンツ再生装置２００により表示される専用チャンネルリストの一例を示す図である。例えば、個人情報端末１００ａの専用ｃｈ再生アプリケーション上の操作画面を介して又はリモートコントローラ２１を介して、個人識別情報毎の専用チャンネルリストを表示することができる。この専用チャンネルリストから、検索されたコンテンツ（タイトルＡＡＡ等）を選択することもできる。
【００４３】
また、リモートコントローラ２１の第１の専用チャンネル指定ボタンに対して、ユーザａの専用チャンネルリストを割り当てることにより、第１の専用チャンネル指定ボタンの押下に対応して、ユーザａの専用チャンネルリストを表示することもできる。同様に、リモートコントローラ２１の第２の専用チャンネル指定ボタンに対して、ユーザｂの専用チャンネルリストを割り当てることにより、第２の専用チャンネル指定ボタンの押下に対応して、ユーザｂの専用チャンネルリストを表示することもできる。
【００４４】
本実施形態についてまとめる。
【００４５】
本実施形態の個人情報端末１００が、利用状況（入力情報又は表示情報等）に基づき、再生コンテンツ選択用の情報を抽出し、コンテンツ再生装置２００へ転送する。コンテンツ再生装置２００は、個人情報端末１００から転送される情報に基づき、コンテンツを検索し、ユーザ毎の専用ｃｈとして、検索されたコンテンツを登録する。よって、ユーザは、コンテンツ再生装置２００に対してわざわざコンテンツを検索するためのキーワード等を入力しなくても、普段使用している個人情報端末１００で扱われた情報に基づくコンテンツの検索結果を利用することができる。即ち、コンテンツ再生装置２００側での再生コンテンツ選択のための操作の低減を実現し、より受動的な利用が可能となる。個人の生活形態に関連の深い効率的な情報収集が、受動的スタンスでの（操作量の少ない）利用形態での視聴で実現できる。
【００４６】
なお、上記処理（コンテンツ選出情報の抽出処理、コンテンツの検索処理等）の手順は全てソフトウェアによって実行することが可能である。このため、上記処理の手順を実行するプログラムを格納したコンピュータ読み取り可能な記憶媒体を通じてこのプログラムを通常のコンピュータにインストールして実行するだけで、上記処理を容易に実現することができる。
【００４７】
例えば、個人情報端末１００は、通信部１０３等を介して、上記プログラムをダウンロードし、ダウンロードしたプログラムを記憶し、プログラムのインストールを完了することができる。これにより、上記コンピュータに相当する個人情報端末１００は、インストールされた上記プログラムに基づき、上記処理（コンテンツ選出情報の抽出処理等）を容易に実現することができる。
【００４８】
また、コンテンツ再生装置２００は、コンピュータ読み取り可能な記憶媒体から上記プログラムを読み取り、読み取ったプログラムを記憶し、プログラムのインストールを完了することができる。或いは、コンテンツ再生装置２００は、送受信部２２等を介して、上記プログラムをダウンロードし、ダウンロードしたプログラムを記憶し、プログラムのインストールを完了することができる。これにより、上記コンピュータに相当するコンテンツ再生装置２００は、インストールされた上記プログラムに基づき、上記処理（コンテンツの検索処理等）を容易に実現することができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１００…個人情報端末、１０１…制御部、１０２…記憶部、１０３…通信部、１０４…表示部、１０５…入力部、１１０…ＴＶ再生コンテンツ選定用情報抽出部、１１１…スケジュール情報抽部、１１２…検索ＫＷ情報抽出部、１２０…再生コンテンツ選定用情報ＤＢ、ＡＰ１…スケジュール管理アプリケーション、ＡＰ２…ブラウザアプリケーション、ＡＰ３…ＳＮＳアプリケーション、２００…コンテンツ再生装置、２３０…専用ｃｈ情報管理部、２３１…再生コンテンツ選定部、２３２…再生コンテンツ検索部、２４０…再生コンテンツ情報ＤＢ、２５０…専用ｃｈ再生制御部
【図１】
2014212432.tif 000003
【図２】
2014212432.tif 000004
【図３】
2014212432.tif 000005
【図４】
2014212432.tif 000006
【図５】
2014212432.tif 000007
【図６】
2014212432.tif 000008
【図７】
2014212432.tif 000009